【手続補正書】
【提出日】平成20年7月24日(2008.7.24)
【手続補正１】
【補正対象書類名】特許請求の範囲
【補正対象項目名】全文
【補正方法】変更
【補正の内容】
【特許請求の範囲】
【請求項１】
装置であって、
第１の壁および第２の壁を含むボディと、
前記ボディの端部から延在する少なくとも１つの付加構造とを備え、前記付加構造は、前記第１の壁と前記第２の壁との間に可動に位置決めされる近位端を有する第１の外板と、近位端において前記第２の壁の端縁部分に結合される第２の外板とを含み、前記第１の外板の遠位端は前記第２の外板の遠位端に接続され、前記装置はさらに、
前記第１の壁と前記第２の壁との間に位置決めされる少なくとも１つのアクチュエータを備え、前記アクチュエータは、
活性化されると収縮するように適合されて、前記付加構造を第１の位置から第２の位置に移動させる少なくとも１つの形状記憶合金（ＳＭＡ）ワイヤと、
前記少なくとも１つのＳＭＡの第１の端部に接続され、前記第１の壁と前記第２の壁との間で前記第１の壁の内側に固定される、固定された牽引ブラケットと、
前記少なくとも１つのＳＭＡの第２の端部に接続され、前記第１の壁と前記第２の壁との間で前記第１の外板の前記近位端から延在するタブに固定される、摺動する牽引ブラケットとを備える、装置。
【請求項２】
前記第１および第２の外板の前記遠位端は固定して接続される、請求項１に記載の装置。
【請求項３】
前記第１および第２の外板の前記遠位端は蝶番式に接続される、請求項１に記載の装置。
【請求項４】
前記ＳＭＡワイヤは、第１の端部において、前記固定された牽引ブラケットに結合され、第２の端部において、前記摺動する牽引ブラケットに結合されるため、前記ＳＭＡワイヤが収縮すると、前記摺動する牽引ブラケットおよび前記第１の外板は前記固定された牽引ブラケットの方に引張られて、前記付加構造を第１の位置から第２の位置に移動させる、請求項１に記載の装置。
【請求項５】
前記ＳＭＡワイヤは、前記ボディの前記第１の壁および前記付加構造の接続された第１
の外板に隣接して流れる空気の温度の増大によって活性化される、請求項１に記載の装置。
【請求項６】
前記ＳＭＡワイヤは、電流が前記ＳＭＡワイヤを通って流れるように前記ＳＭＡワイヤを電流源に接続することによって活性化される、請求項１に記載の装置。
【請求項７】
前記ボディはジェットエンジンナセルを備える、請求項１に記載の装置。
【請求項８】
前記付加構造は、前記ナセルからの排気を前記ナセルに隣接して流れる周囲の空気と混ぜ合わせるように適合される排気混合タブを備える、請求項７に記載の装置。
【請求項９】
ジェットエンジンナセルノズルの端部から延在する排気混合構造の形状を変更するための方法であって、
少なくとも１つのアクチュエータの第１の端部を前記ナセルノズルに取付けることと、
前記アクチュエータの第２の端部を前記排気混合構造に取付けることと、
形状記憶合金（ＳＭＡ）テンドンが長手方向に収縮して、前記排気混合構造の一部を前記第１の端部の方に引張り、前記排気混合構造の前記形状を変更するように、前記アクチュエータの第１および第２の端部に接続される少なくとも１つのＳＭＡテンドンを活性化することとを備える、方法。
【請求項１０】
前記アクチュエータの前記第１の端部を前記ナセルノズルに取付けることは、ナセルの内壁と外壁との間で、前記ナセルノズルの前記内壁の内側にアクチュエータの固定された牽引ブラケットを結合することを備える、請求項９に記載の方法。
【請求項１１】
前記アクチュエータの第２の端部を前記ナセルに取付けることは、前記排気混合構造の内側外板の近位端から延在するタブにアクチュエータの摺動する牽引ブラケットを接続することを備え、前記内側外板は前記ナセルノズルの前記内壁と前記外壁との間に移動して位置決めされ、前記排気混合構造の外側外板の近位端は前記ナセルの前記外壁の端部部分に固定して結合され、前記内側外板の遠位端は前記外側外板の遠位端に接続される、請求項１０に記載の方法。
【請求項１２】
前記ＳＭＡテンドンを活性化することは、
前記ＳＭＡテンドンの第１の端部を前記固定された牽引ブラケットに結合することと、
前記ＳＭＡテンドンの第２の端部を前記摺動する牽引ブラケットに結合することと、
前記排気混合構造の前記形状が第１の形態から第２の形態に変更されるように、長手方向に収縮し、前記摺動する牽引ブラケットおよび前記内側外板を前記固定された牽引ブラケットの方に引張るように前記ＳＭＡテンドンを活性化することとを備える、請求項１１に記載の方法。
【請求項１３】
前記方法は、前記ＳＭＡテンドンを不活性化して、前記ＳＭＡテンドンを弛緩させ、前記排気混合構造の付勢構成要素が前記排気混合構造を第２の形態から第１の形態に戻すことができるようにすることをさらに備える、請求項９に記載の方法。
【手続補正２】
【補正対象書類名】明細書
【補正対象項目名】００１８
【補正方法】変更
【補正の内容】
【００１８】
ここで図５も参照して、各々のＳＭＡテンドン８６は、第１の端部９０において、固定された牽引ブラケット７４に結合され、第２の端部９４において、摺動する牽引ブラケッ
ト７８に結合される。上述のように、各々のＳＭＡテンドン８６は、熱によって活性化されると長手方向の中心線Ｘに沿って一次元に収縮するよう構成される。ＳＭＡテンドン８６の収縮は、摺動する牽引ブラケット７８および摺動する牽引ブラケット７８に接続される付加構造の内側外板３４を、固定された牽引ブラケット７４の方に引張る。すなわち、付加構造の内側外板３４の近位端５４は空洞５０の中にさらに引張られる。付加構造２８の内側外板３４および外側外板３８がそのそれぞれの遠位端部分６２および６６においてともに連結または結合されているので、内側外板３４が空洞５０の中にさらに引張られると、外側外板３８はナセルの第１のフローノズル１８の方に下方に曲げられるまたは湾曲される。このように、内側外板３４は、空洞５０の中に摺動し、基本的には平坦なままである。しかしながら、外側外板３８は第２のフローノズル２２のリップエリア３０に固定されており、したがって、付加構造の外側外板の遠位端部分６６が下方に引張られ、付加構造２８を排気フローの中に撓ませる。すなわち、ＳＭＡテンドン８６の収縮によって、付加構造２８が第１の位置から、第２のフローノズル２２からの排気フローの中に突出する第２の位置に移動するように付加構造２８を配備させる。より具体的には、ＳＭＡテンドン８６の収縮によって、第１の形態から第２の形態に形状を変化させることによって付加構造２８を配備させる。配備されると、付加構造２８は排気フローの中に延在し、それによって排気フローを変更し、外壁４６の外側に隣接して流れる周囲の空気と排気フローを混ぜ合わせる。
【手続補正３】
【補正対象書類名】明細書
【補正対象項目名】００２９
【補正方法】変更
【補正の内容】
【００２９】
図７は、蝶番機器１５０を使用してそれぞれの遠位部分６２および６６に連結された付加構造の内側外板３４ならびに外側外板３８を示す。上述のように、付加構造の内側外板３４の遠位端部分６２および外側外板３８の遠位端部分６６はともに連結される。したがって、アクチュエータ７０が活性化されると、内側外板３４は空洞５０の中にさらに引張られ、これは外側外板３８を下方に曲げるまたは湾曲させ、より詳細には、付加構造２８を配備させる。好ましい実施例では、遠位部分６２および６６は蝶番機器１５０を介して蝶番式に結合される。蝶番機器１５０は、ナセルの第２のノズルのメインボディ２６の、図２に示される機尾端縁１５２に実質的に平行な線Ｙに沿って旋回する任意の好適な蝶番式機器であり得る。